(57)【要約】【課題】電池ユニット間で電位差が生じていた場合でも、より多くの電池ユニットを主回路へ接続して起動できる。【解決手段】実施形態の蓄電池装置は、複数の組電池群と、組電池群のそれぞれに対応し、対応する組電池群を出力電源線に電気的に接続する複数の電磁接触器と、を備えている。そして、接続制御手段は、組電池群の電圧と出力電源線の電圧との電圧差が所定電圧以下である場合に当該組電池群を接続対象と判断し、対応する電磁接触器を介して出力電源線に接続する。【選択図】図１
2016119839.tif 000002
【特許請求の範囲】
【請求項１】
複数の組電池群と、
前記複数の組電池群それぞれに対応して設けられ、対応する組電池群の電圧値を取得す
る複数の電池管理部と、
前記複数の組電池群それぞれに対応して設けられ、前記組電池群を出力電源線に電気的
に接続するための複数の接触器と、
前記複数の電池管理部を制御する制御部と、を備え、
この制御部は、
取得した前記出力電源線の電圧値が０Ｖの場合、
前記電池管理部から通知された前記複数の組電池群の電圧値に基づき、最も電圧値の
高い又は最も電圧値の低い組電池群を選択し、
この選択した組電池群に対応する接触器を閉じるよう制御し、
取得した前記出力電源線の電圧値が０Ｖでない場合、
前記電池管理部から通知された前記複数の組電池群の電圧値に基づき、前記複数の接
触器のうちの閉じていない接触器に対応する組電池群と前記出力電源線の電圧値との電圧
差が第１の所定値以下である組電池群を選択し、
この選択した組電池群に対応する接触器を閉じるよう制御する
ことを特徴とする蓄電池装置。
【請求項２】
前記出力電源線は、複数の蓄電池装置からの電力を供給対象に供給するときに共用され
る電力線であることを特徴とする請求項１に記載の蓄電池装置。
【請求項３】
前記制御部は、前記取得した前記出力電源線の電圧値が０Ｖでない場合であって、かつ
前記複数の接触器のうちの閉じていない接触器に対応する組電池群と前記出力電源線の電
圧値との電圧差が第１の所定値以下でない組電池群がある場合は、この組電池群が放電す
るよう制御することを特徴とする請求項１または２に記載の蓄電池装置。
【請求項４】
複数の組電池群と、この複数の組電池群それぞれに対応して設けられ対応する組電池群
の電圧値を取得する複数の電池管理部と、前記複数の組電池群それぞれに対応して設けら
れ前記組電池群を出力電源線に電気的に接続するための複数の接触器と、前記複数の電池
管理部を制御する制御部と、を備えた蓄電池装置の制御方法であって、
取得した前記出力電源線の電圧値が０Ｖの場合、
前記電池管理部から通知された前記複数の組電池群の電圧値に基づき、最も電圧値の
高い又は最も電圧値の低い組電池群を選択し、
この選択した組電池群に対応する接触器を閉じるよう制御し、
取得した前記出力電源線の電圧値が０Ｖでない場合、
前記電池管理部から通知された前記複数の組電池群の電圧値に基づき、前記複数の接
触器のうちの閉じていない接触器に対応する組電池群と前記出力電源線の電圧値との電圧
差が第１の所定値以下である組電池群を選択し、
この選択した組電池群に対応する接触器を閉じるよう制御する
ことを特徴とする制御方法。
【請求項５】
複数の組電池群と、この複数の組電池群それぞれに対応して設けられ対応する組電池群
の電圧値を取得する複数の電池管理部と、前記複数の組電池群それぞれに対応して設けら
れ前記組電池群を出力電源線に電気的に接続するための複数の接触器と、前記複数の電池
管理部を制御する制御部と、を備えた蓄電池装置をコンピュータにより制御するための制
御プログラムであって、
前記コンピュータを、
取得した前記出力電源線の電圧値が０Ｖの場合は、前記電池管理部から通知された前記
複数の組電池群の電圧値に基づき、最も電圧値の高い又は最も電圧値の低い組電池群を選
択する手段と、この選択した組電池群に対応する接触器を閉じるよう制御する手段として
機能させ、
一方、取得した前記出力電源線の電圧値が０Ｖでない場合は、前記電池管理部から通知
された前記複数の組電池群の電圧値に基づき、前記複数の接触器のうちの閉じていない接
触器に対応する組電池群と前記出力電源線の電圧値との電圧差が第１の所定値以下である
組電池群を選択する手段と、この選択した組電池群に対応する接触器を閉じるよう制御す
る手段として機能させる
ことを特徴とする制御プログラム。
【発明の詳細な説明】
【技術分野】
【０００１】
本発明の実施形態は、蓄電池装置、蓄電池装置の制御方法及び制御プログラムに関する
。
【背景技術】
【０００２】
近年、リチウムイオン二次電池等の蓄電池技術の進歩により、大規模電力蓄積システム
への蓄電池の利用が検討されている。  
リチウムイオン二次電池を例に考えると、単セルの蓄電容量は概ね１００Ｗｈ程度であ
る。したがって、ＭＷｈオーダーの蓄電池装置を実現するには、数千個乃至数万個オーダ
ーのセルを直列および並列に並べ、所望の電圧及び電流容量を有する蓄電池装置を構成す
る必要がある。
【０００３】
まず、蓄電池装置を構成するに際しては、セルを直列に接続して電池ユニットを構成す
る。そして、電磁接触器(コンタクタ)を介して一対の主回路(直流母線)に対して電池ユニ
ットを多数並列に接続した蓄電池装置を想定する。  
通常、蓄電池装置を構成している複数のセルは互いに漏れ電流量が異なるため、動作停
止中の自己放電電流に差がある。  
また、電池ユニットを組み合わせた電池モジュールや電池ユニットを単独で交換した場
合には、電池ユニットの充電状態に差があるなどの理由により、複数のユニット間で電位
差が生じる。
【０００４】
そして、主回路の電位と電池ユニットの電位との間の電位差（電圧差）が所定以上生じ
ている状態では、電磁接触器を閉じたときに過大な電流が流れて電磁接触器が損傷する恐
れがある。  
このため、電磁接触器と並列に電流制限回路を直列に備えた補助電磁接触器(プリチャ
ージコンタクタ)を設け、蓄電池装置の起動時にはその過大な電流を抑制するために、こ
の補助電磁接触器を閉じる仕組みが一般的に提案されている（例えば、特許文献１あるい
は特許文献２参照）。
【０００５】
これにより、電池ユニットの１時間放電率の１／１０（１／１０Ｃ）程度の電流に電流
制限がかかった状態で蓄電池装置へ主回路が接続される。  
したがって、電池ユニットの電圧と蓄電池装置の主回路の電圧との電圧差が所定電圧以
下になり、電磁接触器を閉じたときに発生し得る突入電流が安全な電流と予想される状態
になったときに、電磁接触器が閉じる。このため、その後電磁接触器を閉じた場合に過大
な電流が流れることがないようになっている。
【先行技術文献】
【特許文献】
【０００６】
【特許文献１】特開２００６−３１８８４３号公報
【特許文献２】特開２００９−２２００９９号公報
【発明の概要】
【発明が解決しようとする課題】
【０００７】
ところで、電流制限回路としては、バイパス回路を構成する抵抗器(プリチャージ抵抗)
が使われることが多い。  
ここで、７００Ｖ前後の出力を得るために数百個のリチウムイオン二次電池を直列接続
した電池ユニットを想定する。この場合に、充電率１００％付近の電池ユニットと、充電
率０％付近の電池ユニットでは、リチウムイオン二次電池一つあたり約１Ｖの電位差があ
ることから数百Ｖの電位差が発生することとなる。
【０００８】
一方、電磁接触器を閉じたときに発生し得る突入電流が安全な電流となる電池ユニット
の電圧と蓄電池装置の主回路の電圧の電圧差は、電池ユニットの直列等価抵抗値と電池ユ
ニット電圧と主回路電圧の差に依存するが、数Ｖから数十Ｖ程度である。  
例えば、５０Ａｈの組電池ユニットに対して、電池ユニット電圧と蓄電池装置の主回路
電圧の電圧差１００Ｖで１／１０Ｃ（＝５Ａ）の電流に制限できるプリチャージ抵抗値は
２０Ωになる。
【０００９】
したがって、電流制限抵抗の発熱量は５００Ｗになり、電流制限抵抗の放熱方法と取り
付け場所が課題となる。  
さらに、この状態で電位差が縮小して１０Ｖになると１／１００（＝０．５Ａ）となり
、流れる電流は１／１０になり、それに伴って電位差が縮まる速度が遅くなる。  
このため、充電率が異なる電池ユニットが存在する状態で蓄電池装置が起動した場合は
、電池ユニットの電圧と蓄電池装置の主回路の電圧の電圧差が大きな電池ユニットは、長
時間にわたり電磁接触器を閉じることができない状態が継続してしまう場合がある。
【００１０】
従って、長時間抵抗器を介して電流が流れることによる発熱とエネルギーロスの問題、
長時間にわたり電磁接触器を閉じることができない状態が継続した場合はシステム全体と
しての充放電可能電力が低下してしまう。  
本発明は、上記に鑑みてなされたものであって、電池ユニット間で電位差が生じていた
場合でも、より多くの電池ユニットを主回路へ接続して起動可能とする蓄電池装置、蓄電
池装置の制御方法及び制御プログラムを提供する。
【課題を解決するための手段】
【００１１】
実施形態の蓄電池装置は、複数の組電池群と、前記複数の組電池群それぞれに対応して
設けられ、対応する組電池群の電圧値を取得する複数の電池管理部と、前記複数の組電池
群それぞれに対応して設けられ、前記組電池群を出力電源線に電気的に接続するための複
数の接触器と、前記複数の電池管理部を制御する制御部と、を備えている。
【００１２】
そして、制御部は、取得した前記出力電源線の電圧値が０Ｖの場合、前記電池管理部か
ら通知された前記複数の組電池群の電圧値に基づき、最も電圧値の高い又は最も電圧値の
低い組電池群を選択し、この選択した組電池群に対応する接触器を閉じるよう制御し、一
方、取得した前記出力電源線の電圧値が０Ｖでない場合、前記電池管理部から通知された
前記複数の組電池群の電圧値に基づき、前記複数の接触器のうちの閉じていない接触器に
対応する組電池群と前記出力電源線の電圧値との電圧差が第１の所定値以下である組電池
群を選択し、この選択した組電池群に対応する接触器を閉じるよう制御する。
【図面の簡単な説明】
【００１３】
【図１】図１は、実施形態の蓄電池装置を備えた蓄電池システムの概要構成ブロック    図である。
【図２】図２は、全体動作タイミングチャート（その１）である。
【図３】図３は、全体動作タイミングチャート（その２）である。
【図４】図４は、電池ユニットの電圧が高い順に投入する場合にゲートウェイ装置における起動対象の電池ユニットの選択手順の処理フローチャートである。
【図５】図５は、電池ユニットの電圧が低い順に投入する場合にゲートウェイ装置における起動対象の電池ユニットの選択手順の処理フローチャートである。
【図６】図６は、電池ユニットの電圧が電池ユニットの平均値に近い順に投入する場合にゲートウェイ装置における起動対象の電池ユニットの選択手順の処理フローチャートである。
【図７】図７は、電池ユニットの電圧が高い順に投入する場合にゲートウェイ装置における起動対象の電池ユニットの選択手順の処理フローチャートである。
【図８】図８は、電池ユニットの電圧が低い順に投入する場合にゲートウェイ装置における起動対象の電池ユニットの選択手順の処理フローチャートである。
【図９】図９は、電池ユニットの電圧が全電池ユニットの平均値に近い順に投入する場合にゲートウェイ装置における起動対象の電池ユニットの選択手順の処理フローチャートである。
【図１０】図１０は、未投入の電池ユニット数を低減させるためのゲートウェイ装置の処理フローチャートである。
【発明を実施するための形態】
【００１４】
次に図面を参照して、実施形態の蓄電池装置について詳細に説明する。
図１は、実施形態の蓄電池装置を備えた蓄電池システムの概要構成ブロック図である。
蓄電池システム１０は、大別すると、電力を蓄える蓄電池装置１１と、蓄電池装置１１
から供給された直流電力を所望の交流電力に変換して負荷に供給する電力変換装置（ＰＣ
Ｓ：Power Conditioning System）１２と、を備えている。
【００１５】
蓄電池装置１１は、大別すると、複数の電池盤２１−１〜２１−Ｎ（Ｎは自然数）と、
電池盤２１−１〜２１−Ｎが接続された電池端子盤２２と、を備えている。
電池盤２１−１〜２１−Ｎは、互いに並列に接続された複数の電池ユニット２３−１〜
２３−Ｍ（Ｍは自然数）と、ゲートウェイ装置２４と、後述のＢＭＵ（Battery Manageme
nt Unit）及びＣＭＵ（Cell Monitoring Unit）に動作用の直流電源を供給する直流電源
装置２５と、を備えている。
【００１６】
ここで、電池ユニットの構成について説明する。
電池ユニット２３−１〜２３−Ｍは、それぞれ、高電位側電源供給ライン（高電位側電
源供給線）ＬＨ及び低電位側電源供給ライン（低電位側電源供給線）ＬＬを介して、出力
電源ライン（出力電源線；母線）ＬＨＯ、ＬＬＯに接続され、主回路である電力変換装置
に電力を供給している。
【００１７】
また電池ユニット２３−１〜２３−Ｍは、同一構成であるので、電池ユニット２３−１
を例として説明する。
電池ユニット２３−１は、大別すると、複数のセルモジュール３１と、セルモジュール
３１にそれぞれ設けられた複数のＣＭＵ３２と、サービスディスコネクト３３と、電流セ
ンサ３４と、コンタクタ３５と、を備え、複数のセルモジュール３１、サービスディスコ
ネクト３３、電流センサ３４及びコンタクタ３５は、直列に接続されている。
【００１８】
ここで、セルモジュール３１は、電池であるセルを複数、直並列に接続されて組電池を
構成している。そして、複数の直列接続されたセルモジュール３１で組電池群を構成して
いる。
【００１９】
さらに電池ユニット２３−１は、ＢＭＵ３６を備え、各ＣＭＵ３２の通信ライン、電流
センサ３４の出力ラインは、ＢＭＵ３６に接続されている。
ＢＭＵ３６は、ゲートウェイ装置２４の制御下で、電池ユニット２３−１全体を制御し
、各ＣＭＵ３２との通信結果及び電流センサ３４の検出結果に基づいてコンタクタ３５の
開閉制御を行う。
【００２０】
次に電池端子盤の構成について説明する。
電池端子盤２２は、電池盤２１−１〜２１−Ｎに対応させて設けられた複数の盤遮断機
４１−１〜４１−Ｎと、蓄電池装置１１全体を制御するマイクロコンピュータとして構成
されたマスタ（ＭＡＳＴＥＲ）装置４２と、を備えている。
【００２１】
マスタ装置４２には、電力変換装置１２との間に、電力変換装置１２のＵＰＳ（Uninte
rruptible Power System）１２Ａを介して供給される制御電源線５１と、イーサネット（
登録商標）として構成され、制御データのやりとりを行う制御通信線５２と、が接続され
ている。
【００２２】
次に実施形態の動作を説明する。
本実施形態においては、主回路電圧と電池ユニット電圧が所定の電圧以下になったまた
は所定の電圧以下である場合にコンタクタ３５を閉じるようにゲートウェイ装置２４がＢ
ＭＵ３６を制御する構成を採っている。これにより、本実施形態では、コンタクタ３５と
並列に電流制限回路を接続する補助コンタクタを設ける必要がなくなっている。
【００２３】
まず、蓄電池システム１０全体の動作を説明する。
図２は、全体動作タイミングチャート（その１）である。
図３は、全体動作タイミングチャート（その２）である。
電力変換装置１２に電源が投入されると（ステップＳ１）、電力変換装置１２のＵＰＳ
１２Ａからマスタ装置４２及びゲートウェイ装置２４に電源が供給される（ステップＳ２
、Ｓ３）。これによりマスタ装置４２及びゲートウェイ装置２４は、動作可能状態となる
。
【００２４】
続いてゲートウェイ装置２４は、正常動作可能か否かを判断すべく自己診断を行う（ス
テップＳ４）。
そして正常動作可能な場合には、ゲートウェイ装置２４は、マスタ装置４２に対し、ゲ
ートウェイライフ信号を出力する（ステップＳ５）。
【００２５】
マスタ装置４２は、ゲートウェイ装置２４からゲートウェイライフ信号が入力されると
、電池盤２１−１〜２１−Ｎを順次起動させるべく、複数の盤遮断機４１−１〜４１−Ｎ
が閉状態であることを検出する（ステップＳ６）。
続いて、マスタ装置４２は、使用履歴等に基づいて電池盤２１−１〜２１−Ｎのうち、
いずれを最初に起動させるかを決定する起動電池盤選択処理を行う（ステップＳ７）。
【００２６】
続いてマスタ装置４２は、ゲートウェイ装置２４に対し、盤遮断機４１−１〜４１−Ｎ
が閉状態であることを検出した旨を通知する（ステップＳ８）。
【００２７】
次にマスタ装置４２は、停電停止及びトリップを解除する通知をゲートウェイ装置２４
に通知する（ステップＳ９）。
これによりゲートウェイ装置２４は、起動電池盤（電池盤２１−１〜２１−Ｎのうちい
ずれか一つ）に対応するＢＭＵ３６に対し、電源投入を指示する（ステップＳ１０）。
この電源投入指示に基づいて起動電池盤に対応するＢＭＵ３６は、自己診断ログチェッ
クを行い正常に起動できるかを判別する（ステップＳ１１）。
【００２８】
このＢＭＵ３６の自己診断ログチェックと並行して、ゲートウェイ装置２４は、ＢＭＵ
３６の起動待ち状態となる（ステップＳ１２）。
そして、ゲートウェイ装置２４は、起動電池盤に対応するＢＭＵ３６が起動すると、当
該ＢＭＵ３６に対し、ＵＡＲＴ(Universal Asynchronous Receiver Transmitter)を介し
て、ＣＡＮ（Controller Area Network）を利用して通信を行うためのＣＡＮ_ＩＤを自動
付番するように指示する（ステップＳ１３）。
【００２９】
これによりＢＭＵ３６は、所定の手順に従って、自動付番を行う（ステップＳ１４）。
そして、ゲートウェイ装置２４は、ＢＭＵ３６において自動付番が完了するまで待機状態
となる（ステップＳ１５）。
続いて起動電池盤に対応するＢＭＵ３６は、ＣＡＮ_ＩＤの自動付番が完了すると、Ｕ
ＡＲＴを介して、自動付番完了通知を行う（ステップＳ１６）。
【００３０】
そして、起動電池盤に対応する複数のＢＭＵ３６は、ゲートウェイ装置２４との間でＣ
ＡＮを利用した通信を開始する（ステップＳ１７）。
このＣＡＮを利用した通信により、ＢＭＵ３６は、自己の配下にある複数のＣＭＵ３２
に対し、ブロードキャストで電源投入を指示する（ステップＳ１８）。
【００３１】
また、ゲートウェイ装置２４は、ＣＡＮ通信が可能か否かを確認する（ステップＳ１９
）。
一方、電源投入を指示された複数のＣＭＵ３２は、それぞれ、自己診断ログチェックを
行い正常に起動できるかを判別する（ステップＳ２０）。
このＣＭＵ３２の自己診断ログチェックと並行して、ＢＭＵ３６は、ＣＭＵ３２の起動
待ち状態となる（ステップＳ２１）。
【００３２】
そして、ＢＭＵ３６は、各ＣＭＵ３２に対し、ＵＡＲＴを介して、ＣＡＮを利用して通
信を行うためのＣＡＮ_ＩＤを自動付番するように指示する（ステップＳ２２）。
これによりＣＭＵ３２は、所定の手順に従って、自動付番を行う（ステップＳ２３）。
そして、ＢＭＵ３６は、全ＣＭＵ３２において自動付番が完了するまで待機状態となる（
ステップＳ２４）。
【００３３】
続いて各ＣＭＵ３２は、ＣＡＮ_ＩＤの自動付番が完了すると、ＵＡＲＴを介して、自
動付番完了通知を行う（ステップＳ２５）。
そして、自動付番が完了して各ＣＭＵ３２は、ＢＭＵ３６との間でＣＡＮを利用した通
信を開始し、対応するセルモジュール３１の温度及び電圧を通知する（ステップＳ２６）
。
【００３４】
一方、起動電池盤に対応する複数のＢＭＵ３６は、自己の配下にある全ＣＭＵ３２と通
信ができたか否かを確認する（ステップＳ２７）。
起動電池盤に対応する複数のＢＭＵ３６は、自己の配下にある全ＣＭＵ３２と通信がで
きた場合には、通知されたセルモジュール３１の電圧に基づいて、ＣＡＮを利用した通信
により、自己が属する電池ユニット（電池ユニット２３−１〜２３−Ｍのいずれか）の電
圧であるユニット電圧をゲートウェイ装置２４に通知する（ステップＳ２８）。
【００３５】
このＣＡＮを利用した通信により、ゲートウェイ装置２４は、自己の配下にある複数の
電池ユニット２３−１〜２３−Ｍのうち、いずれを起動ユニットとするかを選択する（ス
テップＳ２９）。この起動ユニットの選択方法については、後に詳述するが、最もユニッ
ト電圧が高い電池ユニット、最もユニット電圧が低い電池ユニットあるいはユニット電圧
が平均ユニット電圧に最も近い電池ユニット等が起動ユニットとして選択される。
【００３６】
そして、ゲートウェイ装置２４は、選択した起動ユニットである電池ユニット２３−Ｘ
に属するＢＭＵ３６に対し、運転指令を出力する（ステップＳ３０）。
この結果、運転指令が入力された起動ユニットである電池ユニット２３−Ｘに属するＢ
ＭＵ３６は、ゲートウェイ装置２４に対し、起動の準備中である旨の準備中フラグを通知
する（ステップＳ３１）。
【００３７】
そして、起動ユニットである電池ユニット２３−Ｘに属するＢＭＵ３６は、対応するコ
ンタクタ３５を閉状態とするコンタクタ閉処理を行う（ステップＳ３２）。
そして、コンタクタ閉処理が完了すると、起動ユニットである電池ユニット２３−Ｘに
属するＢＭＵ３６は、コンタクタ状態通知（準備中フラグ解除通知）をゲートウェイ装置
２４に対して行う（ステップＳ３３）。
【００３８】
これにより、ゲートウェイ装置２４は、マスタ装置４２に対し、起動電池盤を構成する
電池ユニット２３−１〜２３−Ｍをその運転状態（正常運転状態、要充電状態、停止状態
等）毎に電池ユニット数を通知する（ステップＳ３４）。
そして、マスタ装置４２は、主回路の電圧をゲートウェイ装置２４に通知する（ステッ
プＳ３５）。
【００３９】
続いて、ゲートウェイ装置２４は、ＣＡＮを利用した通信により、自己の配下にある複
数の電池ユニット２３−１〜２３−Ｍのうち、起動ユニット以外の全ての電池ユニットを
投入（起動）する処理を行う（ステップＳ３６）。
この場合において、ステップＳ３５で通知された主回路の電圧に基づいて、主回路の電
圧に対して所定の電圧範囲内（例えば、±１５Ｖ以内）にある電圧を有する電池ユニット
のうち、最もユニット電圧が高い電池ユニット、最もユニット電圧が低い電池ユニットあ
るいはユニット電圧が平均ユニット電圧に最も近い電池ユニット等が起動対象となり、順
次起動されることとなる。
【００４０】
そして、ゲートウェイ装置２４は、起動対象となる電池ユニット２３−Ｘに属するＢＭ
Ｕ３６に対し、運転指令を出力する（ステップＳ３７）。
この結果、運転指令が入力された電池ユニット２３−Ｘに属するＢＭＵ３６は、ゲート
ウェイ装置２４に対し、起動の準備中である旨の準備中フラグを通知する（ステップＳ３
８）。
【００４１】
一方、マスタ装置４２は、起動電池盤以外の残りの電池盤も同様に起動する（ステップ
Ｓ３９）。
そして、運転指令が入力された電池ユニット２３−Ｘに属するＢＭＵ３６は、対応する
コンタクタ３５を閉状態とするコンタクタ閉処理を行う（ステップＳ４０）。
そして、コンタクタ閉処理が完了すると、起動ユニットである電池ユニット２３−Ｘに
属するＢＭＵ３６は、コンタクタ状態通知（準備中フラグ解除通知）をゲートウェイ装置
２４に対して行う（ステップＳ４１）。
【００４２】
これにより、ゲートウェイ装置２４は、マスタ装置４２に対し、起動電池盤を構成する
電池ユニット２３−１〜２３−Ｍをその運転状態（正常運転状態、要充電状態、停止状態
等）毎に電池ユニット数を通知する（ステップＳ４２）。
これらの結果、マスタ装置４２は、利用可能な電池盤数を電力変換装置１２に通知する
（ステップＳ４３）。
【００４３】
続いてマスタ装置４２は、ステップＳ３９で起動しようとする電池盤２１-Ｙのゲート
ウェイ装置２４に対し、盤遮断機４１−１〜４１−Ｎが閉状態であることを検出した旨を
通知する（ステップＳ４４）。
次にマスタ装置４２は、停電停止及びトリップを解除する通知をゲートウェイ装置２４
に通知する（ステップＳ４５）。
これによりゲートウェイ装置２４は、起動対象の電池盤２１−Ｙに対応するＢＭＵ３６
に対し、電源投入を指示する（ステップＳ４６）。
【００４４】
そして、当該起動対象の電池盤２１−Ｙに対応するＢＭＵ３６に対し、運転指令を行う
（ステップＳ４７）。
この運転指令に基づいて起動対象の電池盤２１−Ｙに対応するＢＭＵ３６は、自己診断
ログチェックを行い正常に起動できるかを判別する（ステップＳ４８）。
このＢＭＵ３６の自己診断ログチェックと並行して、ゲートウェイ装置２４は、ＢＭＵ
３６の起動待ち状態となる（ステップＳ４９）。
【００４５】
そして、ゲートウェイ装置２４は、起動対象の電池盤２１−Ｙに対応するＢＭＵ３６が
起動すると、当該ＢＭＵ３６に対し、ＵＡＲＴを介して、ＣＡＮを利用して通信を行うた
めのＣＡＮ_ＩＤを自動付番するように指示する（ステップＳ５０）。
これによりＢＭＵ３６は、所定の手順に従って、自動付番を行う（ステップＳ５１）。
そして、ゲートウェイ装置２４は、ＢＭＵ３６において自動付番が完了するまで待機状態
となる（ステップＳ５２）。
【００４６】
続いて起動対象の電池盤２１−Ｙに対応するＢＭＵ３６は、ＣＡＮ_ＩＤの自動付番が
完了すると、ＵＡＲＴを介して、自動付番完了通知を行う（ステップＳ５３）。
そして、起動対象の電池盤２１−Ｙに対応する複数のＢＭＵ３６は、ゲートウェイ装置
２４との間でＣＡＮを利用した通信を開始する（ステップＳ５４）。
この結果、運転指令が入力された電池ユニット２３−Ｘに属するＢＭＵ３６は、ゲート
ウェイ装置２４に対し、起動の準備中である旨の準備中フラグを通知する（ステップＳ５
５）。
さらにＢＭＵ３６は、ＣＡＮを利用した通信により、自己の配下にある複数のＣＭＵ３
２に対し、ブロードキャストで電源投入を指示する（ステップＳ５６）。
【００４７】
一方、電源投入を指示された複数のＣＭＵ３２は、それぞれ、自己診断ログチェックを
行い正常に起動できるかを判別する（ステップＳ５７）。
このＣＭＵ３２の自己診断ログチェックと並行して、ＢＭＵ３６は、ＣＭＵ３２の起動
待ち状態となる（ステップＳ５８）。
また、ゲートウェイ装置２４は、ＣＡＮ通信が可能か否かを確認する（ステップＳ５９
）。
【００４８】
そして、ＢＭＵ３６は、各ＣＭＵ３２に対し、ＵＡＲＴを介して、ＣＡＮを利用して通
信を行うためのＣＡＮ_ＩＤを自動付番するように指示する（ステップＳ６０）。
これによりＣＭＵ３２は、所定の手順に従って、自動付番を行う（ステップＳ６１）。
そして、ＢＭＵ３６は、全ＣＭＵ３２において自動付番が完了するまで待機状態となる（
ステップＳ６２）。
【００４９】
続いて各ＣＭＵ３２は、ＣＡＮ_ＩＤの自動付番が完了すると、ＵＡＲＴを介して、自
動付番完了通知を行う（ステップＳ６３）。
そして、自動付番が完了した各ＣＭＵ３２は、ＢＭＵ３６との間でＣＡＮを利用した通
信を開始し、対応するセルモジュール３１の温度及び電圧を通知する（ステップＳ６４）
。
【００５０】
一方、起動対象の電池盤に対応する複数のＢＭＵ３６は、自己の配下にある全ＣＭＵ３
２と通信ができたか否かを確認する（ステップＳ６５）。
そして、起動対象の電池ユニット２３−Ｘに属するＢＭＵ３６は、対応するコンタクタ
３５を閉状態とするコンタクタ閉処理を行う（ステップＳ６６）。
【００５１】
そして、コンタクタ閉処理が完了すると、起動対象の電池ユニット２３−Ｘに属するＢ
ＭＵ３６は、コンタクタ状態通知（準備中フラグ解除通知）をゲートウェイ装置２４に対
して行う（ステップＳ６７）。
そして、コンタクタ状態通知（準備中フラグ解除通知）がなされたゲートウェイ装置２
４は、マスタ装置４２に対し、起動電池盤を構成する電池ユニット２３−１〜２３−Ｍを
その運転状態（正常運転状態、要充電状態、停止状態等）毎に電池ユニット数を通知する
（ステップＳ６８）。
【００５２】
これにより、マスタ装置４２は、利用可能な電池盤数を電力変換装置１２に通知する（
ステップＳ６９）。
【００５３】
以上の説明のように、本実施形態によれば、起動時に電池ユニット間で電位差が生じて
いた場合でも、コンタクタを保護しつつ、より多くの電池ユニットを主回路へ接続して電
力供給を行うことができる。
【００５４】
ところで、上述した蓄電池装置１１のような蓄電池装置では、構成する全ての電池ユニ
ット２３−１〜２３−Ｍの蓄電可能容量が等しいとすれば、全ての電池ユニット２３−１
〜２３−Ｍが主回路へ接続されたときの主回路の電圧は、最後には主回路接続前の電池ユ
ニット２３−１〜２３−Ｍの電圧の平均値となるはずである。
現実には構成する全ての電池ユニットの蓄電可能容量が全く等しいことはないが、通常
は等しいとみなして問題は無い。
しかしながら、出力電圧にばらつきがある電池ユニットの電磁接触器を順次閉じていく
場合、ばらつき方と閉じる順番によっては、その時点で閉じられる電池ユニットの数が限
られてしまうことがある。
【００５５】
例えば、電池盤２１−１が電池ユニット２３−１〜２３−３の３つの電池ユニットを備
えている場合を想定する。
この場合に、電池ユニット２３−１の出力電圧が２０Ｖ、電池ユニット２３−２の出力
電圧が４０Ｖ、電池ユニット２３−３の出力電圧が３０Ｖであって、主回路電圧と電池ユ
ニット２３−１〜２３−３の出力電圧差が１５Ｖ以下の時にコンタクタ（電磁接触器）３
５の閉動作を行えるとする。
ここで、全電池ユニット２３−１〜２３−３の容量が等しいとすれば、電池ユニット２
３−１→電池ユニット２３−２→電池ユニット２３−３の順番で対応するコンタクタ３５
の閉処理を行うと決めている場合、電池ユニット２３−１のコンタクタ３５が閉じた後の
主回路電圧は２０Ｖとなる。
このときの電池ユニット２３−２との出力電圧差は２０Ｖとなり、電池ユニット２３−
１しか主回路へ接続できないこととなる。
【００５６】
これに対し、電池ユニット２３−１〜２３−３を電圧が低い順番に、電池ユニット２３
−１→電池ユニット２３−３→電池ユニット２３−２の順番でコンタクタ３５の閉処理を
行った場合、電池ユニット２３−１の電磁接触器が閉じた後の主回路電圧は２０Ｖ、その
ときの電池ユニット２３−３との出力電圧差は１０Ｖとなる。そして、電池ユニット２３
−３のコンタクタ３５が閉じた後の主回路の電圧は２５Ｖ（＝［２０＋３０］／２）、そ
のときの電池ユニット２３−２との出力電圧差は１５Ｖとなる。したがって、電池ユニッ
ト２３−２のコンタクタ３５が閉じた後の主回路の電圧は３０Ｖ（＝［２０＋３０＋４０
］／３）となり、３つ全ての電池ユニット２３−１〜２３−３を主回路に接続可能である
。
【００５７】
ところで、上述した方法により最初に主回路へ接続する電池ユニットが定まったとして
も、初期状態では蓄電池装置の主回路電圧は０Ｖ（あるいは不定)であるので、最初に主
回路へ接続する電池ユニットについては、主回路電圧と電池ユニット電圧が所定以上電位
差を生じている状態でも接続することとなる。
【００５８】
なお、主回路の電圧と、接続対象とすべき電池ユニットの電圧差については、測定誤差
も考慮した値にするのが望ましい。この場合において、主回路の電圧は、ゲートウェイ装
置２４が測定機能を持っていてもよいし、蓄電池装置１１の電力供給先の装置（図１にお
いては、電力変換装置１２）が測定機能を有し、通信ネットワークを介してゲートウェイ
装置２４に通知するようにしてもよい。
【００５９】
以下、起動対象の電池ユニットの選択手順についてより具体的に説明する。
（１）電池ユニットの電圧が高い順に投入する場合の選択手順
図４は、電池ユニットの電圧が高い順に投入する場合にゲートウェイ装置における起動
対象の電池ユニットの選択手順の処理フローチャートである。
ゲートウェイ装置２４は、コンタクタ３５を閉じていない電池ユニット２３−１〜２３
−Ｍの中で、最も電圧の高い電池ユニット２３−Ｈを選択する（ステップＳ８１）。
【００６０】
次にゲートウェイ装置２４は、主回路の電圧である母線電圧が０Ｖまたは母線電圧と選
択した電池ユニット２３−Ｈの電圧の差が所定値以下であるか否かを判別する（ステップ
Ｓ８２）。
ステップＳ８２の判別において、主回路の電圧である母線電圧が０Ｖではなく、母線電
圧と選択した電池ユニット２３−Ｈの電圧の差が所定値を超えている場合には（ステップ
Ｓ８２；Ｎｏ）、ゲートウェイ装置２４は、待機状態となる。
【００６１】
一方、主回路の電圧である母線電圧が０Ｖまたは母線電圧と選択した電池ユニット２３
−Ｈの電圧の差が所定値以下である場合には（ステップＳ８２；Ｙｅｓ）、ゲートウェイ
装置２４は、選択した電池ユニット２３−Ｈのコンタクタ３５を閉じる指令を当該電池ユ
ニット２３−ＨのＢＭＵ３６に出力する（ステップＳ８３）。
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ８４）。
【００６２】
ステップＳ８４の判別において、未だコンタクタ状態通知がなされていない場合には（
ステップＳ８４；Ｎｏ）、ゲートウェイ装置２４は、待機状態となる。
ステップＳ８４の判別において、コンタクタ状態通知がなされた場合には（ステップＳ
８４；Ｙｅｓ）、ゲートウェイ装置２４は、マスタ装置４２に対し、当該時点において、
運転可能な電池ユニット数を通知する（ステップＳ８５）。
【００６３】
続いてゲートウェイ装置２４は、全ての電池ユニット２３−１〜２３−Ｍが起動したか
否かを判別する（ステップＳ８６）。
ステップＳ８６の判別において、未だ全ての電池ユニット２３−１〜２３−Ｍが起動し
ていない場合には（ステップＳ８６；Ｎｏ）、処理を再びステップＳ８１に移行して、以
下、同様の処理を行う。
【００６４】
ステップＳ８６の判別において、全ての電池ユニット２３−１〜２３−Ｍが起動した場
合には（ステップＳ８６；Ｙｅｓ）、処理を終了する。
以上の説明のように、電池ユニットの電圧が高い順に電池ユニット２３−１〜２３−Ｍ
が順次投入されて、主回路に電力が供給されることとなる。
【００６５】
（２）電池ユニットの電圧が低い順に投入する場合の選択手順
図５は、電池ユニットの電圧が低い順に投入する場合にゲートウェイ装置における起動
対象の電池ユニットの選択手順の処理フローチャートである。
ゲートウェイ装置２４は、コンタクタ３５を閉じていない電池ユニット２３−１〜２３
−Ｍの中で、最も電圧の低い電池ユニット２３−Ｌを選択する（ステップＳ９１）。
【００６６】
次にゲートウェイ装置２４は、主回路の電圧である母線電圧が０Ｖまたは母線電圧と選
択した電池ユニット２３−Ｌの電圧の差が所定値以下であるか否かを判別する（ステップ
Ｓ９２）。
ステップＳ９２の判別において、主回路の電圧である母線電圧が０Ｖではなく、母線電
圧と選択した電池ユニット２３−Ｌの電圧の差が所定値を超えている場合には（ステップ
Ｓ９２；Ｎｏ）、ゲートウェイ装置２４は、待機状態となる。
【００６７】
一方、主回路の電圧である母線電圧が０Ｖまたは母線電圧と選択した電池ユニット２３
−Ｌの電圧の差が所定値以下である場合には（ステップＳ９２；Ｙｅｓ）、ゲートウェイ
装置２４は、選択した電池ユニット２３−Ｌのコンタクタ３５を閉じる指令を当該電池ユ
ニット２３−ＬのＢＭＵ３６に出力する（ステップＳ９３）。
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ９４）。
【００６８】
ステップＳ９４の判別において、未だコンタクタ状態通知がなされていない場合には（
ステップＳ９４；Ｎｏ）、ゲートウェイ装置２４は、待機状態となる。
ステップＳ９４の判別において、コンタクタ状態通知がなされた場合には（ステップＳ
９４；Ｙｅｓ）、ゲートウェイ装置２４は、マスタ装置４２に対し、当該時点において、
運転可能な電池ユニット数を通知する（ステップＳ９５）。
続いてゲートウェイ装置２４は、全ての電池ユニット２３−１〜２３−Ｍが起動したか
否かを判別する（ステップＳ９６）。
【００６９】
ステップＳ９６の判別において、未だ全ての電池ユニット２３−１〜２３−Ｍが起動し
ていない場合には（ステップＳ９６；Ｎｏ）、処理を再びステップＳ９１に移行して、以
下、同様の処理を行う。
ステップＳ９６の判別において、全ての電池ユニット２３−１〜２３−Ｍが起動した場
合には（ステップＳ９６；Ｙｅｓ）、処理を終了する。
以上の説明のように、電池ユニットの電圧が低い順に電池ユニット２３−１〜２３−Ｍ
が順次投入されて、主回路に供給されることとなる。
【００７０】
（３）電池ユニットの電圧が電池ユニットの平均値に近い順に投入する場合の選択手順
図６は、電池ユニットの電圧が電池ユニットの平均値に近い順に投入する場合にゲート
ウェイ装置における起動対象の電池ユニットの選択手順の処理フローチャートである。
ゲートウェイ装置２４は、支配下にある電池ユニット２３−１〜２３−Ｍの電圧の平均
値を計算する（ステップＳ１００）。
【００７１】
ゲートウェイ装置２４は、コンタクタ３５を閉じていない電池ユニット２３−１〜２３
−Ｍの中で、最も電圧が電池ユニットの平均値に近い電池ユニット２３−Ａを選択する（
ステップＳ１０１）。
次にゲートウェイ装置２４は、主回路の電圧である母線電圧が０Ｖまたは母線電圧と選
択した電池ユニット２３−Ａの電圧の差が所定値以下であるか否かを判別する（ステップ
Ｓ１０２）。
【００７２】
ステップＳ１０２の判別において、主回路の電圧である母線電圧が０Ｖではなく、母線
電圧と選択した電池ユニット２３−Ａの電圧の差が所定値を超えている場合には（ステッ
プＳ１０２；Ｎｏ）、ゲートウェイ装置２４は、待機状態となる。
【００７３】
一方、主回路の電圧である母線電圧が０Ｖまたは母線電圧と選択した電池ユニット２３
−Ａの電圧の差が所定値以下である場合には（ステップＳ１０２；Ｙｅｓ）、ゲートウェ
イ装置２４は、選択した電池ユニット２３−Ａのコンタクタ３５を閉じる指令を当該電池
ユニット２３−ＡのＢＭＵ３６に出力する（ステップＳ１０３）。
【００７４】
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ１０４）。
ステップＳ１０４の判別において、未だコンタクタ状態通知がなされていない場合には
（ステップＳ１０４；Ｎｏ）、ゲートウェイ装置２４は、待機状態となる。
【００７５】
ステップＳ１０４の判別において、コンタクタ状態通知がなされた場合には（ステップ
Ｓ１０４；Ｙｅｓ）、ゲートウェイ装置２４は、マスタ装置４２に対し、当該時点におい
て、運転可能な電池ユニット数を通知する（ステップＳ１０５）。
続いてゲートウェイ装置２４は、全ての電池ユニット２３−１〜２３−Ｍが起動したか
否かを判別する（ステップＳ１０６）。
【００７６】
ステップＳ１０６の判別において、未だ全ての電池ユニット２３−１〜２３−Ｍが起動
していない場合には（ステップＳ１０６；Ｎｏ）、処理を再びステップＳ１０１に移行し
て、以下、同様の処理を行う。
ステップＳ１０６の判別において、全ての電池ユニット２３−１〜２３−Ｍが起動した
場合には（ステップＳ１０６；Ｙｅｓ）、処理を終了する。
以上の説明のように、電池ユニットの電圧が電池ユニットの平均値に近い順に電池ユニ
ット２３−１〜２３−Ｍが順次投入されて、電力が主回路に供給されることとなる。
【００７７】
（４）最も多くの電池ユニットを投入可能とする順番で電池ユニットの電圧が高い順に投
入する場合の選択手順
図７は、電池ユニットの電圧が高い順に投入する場合にゲートウェイ装置における起動
対象の電池ユニットの選択手順の処理フローチャートである。
まず、ゲートウェイ装置２４は、最初に起動する電池ユニットの電圧の順番を示すイン
デックスＮ＝１に初期化する（ステップＳ１１１）。
【００７８】
次にゲートウェイ装置２４は、Ｎ番目に高い電圧の電池ユニットから投入した場合に主
回路の電圧である母線電圧から所定電圧範囲となるように投入可能な電池ユニット数ＳＵ
ＭＮ＝０に初期化する（ステップＳ１１２）
続いてゲートウェイ装置２４は、Ｎ番目に高い電圧の電池ユニットから起動したと仮定
したときに起動可能な電池ユニットの電圧の順位を示すインデックスをＭとし、Ｍ＝Ｎと
する（ステップＳ１１３）。
次にゲートウェイ装置２４は、電池ユニットの電圧が高い順番でＮ番目からＭ番目まで
の電池ユニットの平均電圧値を演算する（ステップＳ１１４）。
【００７９】
次にゲートウェイ装置２４は、ステップＳ１１４で演算した電池ユニットの電圧が高い
順番でＮ番目からＭ番目までの電池ユニットの平均電圧値と、（Ｍ＋１）番目の電池ユニ
ットの電圧差が所定値以下であるか否かを判別する（ステップＳ１１５）。この場合にお
いて、所定値は、主回路の電圧である母線電圧から所定電圧範囲となる電圧範囲である。
ステップＳ１１５の判別において、ステップＳ１１４で演算した電池ユニットの電圧が
高い順番でＮ番目からＭ番目までの電池ユニットの平均電圧値と、（Ｍ＋１）番目の電池
ユニットの電圧差が所定値を超えている場合には（ステップＳ１１５；Ｎｏ）、処理をス
テップＳ１１８に移行する。
ステップＳ１１５の判別において、ステップＳ１１４で演算した電池ユニットの電圧が
高い順番でＮ番目からＭ番目までの電池ユニットの平均電圧値と、（Ｍ＋１）番目の電池
ユニットの電圧差が所定値以下である場合には（ステップＳ１１５；Ｙｅｓ）、ゲートウ
ェイ装置２４は、インデックスＭ＝Ｍ＋１とし、電池ユニット数ＳＵＭＮ＝ＳＵＭＮ＋１
とする（ステップＳ１１６）。すなわち、投入可能と判断された電池ユニット数が一つ増
えたことととなる。
【００８０】
次にゲートウェイ装置２４は、インデックスＭの値が総電池ユニット数以下であるか否
かを判別する（ステップＳ１１７）。
ステップＳ１１７の判別において、インデックスＭの値が総電池ユニット数以下である
場合には（ステップＳ１１７；Ｙｅｓ）、ゲートウェイ装置２４は、処理を再びステップ
Ｓ１１４に移行して、以下、同様の処理を行う。
ステップＳ１１７の判別において、インデックスＭの値が総電池ユニット数を超えてい
る場合には（ステップＳ１１７；Ｎｏ）、ゲートウェイ装置２４は、インデックスＮ＝Ｎ
＋１とする（ステップＳ１１８）。
【００８１】
次にゲートウェイ装置２４は、インデックスＮの値が総電池ユニット数を超えているか
否かを判別する（ステップＳ１１９）。  
ステップＳ１１９の判別において、インデックスＮの値が総電池ユニット数以下である
場合には（ステップＳ１１９；Ｎｏ）、ゲートウェイ装置２４は、処理を再びステップＳ
１１２に移行し、以下、同様の処理を行う。
ステップＳ１１９の判別において、インデックスＮの値が総電池ユニット数を超えた場
合には（ステップＳ１１９；Ｙｅｓ）、起動ユニット選択のための情報収集が完了したの
で、インデックスＮを１から電池ユニット数まで変化させて、電池ユニット数ＳＵＭＮの
値が最も大きいインデックスＮの値を探索する（ステップＳ１２０）。すなわち、最も投
入可能な電池ユニットの数が多いインデックスＮの値を取得することとなる。
【００８２】
次にゲートウェイ装置２４は、電池ユニット２３−１〜２３−Ｍの中で、Ｎ番目に電圧
の高い電池ユニット２３−ＨＮを選択する（ステップＳ１２１）。
次にゲートウェイ装置２４は、主回路の電圧である母線電圧が０Ｖまたは母線電圧と選
択した電池ユニット２３−ＨＮの電圧の差が所定値以下であるか否かを判別する（ステッ
プＳ１２２）。
ステップＳ１２２の判別において、主回路の電圧である母線電圧が０Ｖではなく、母線
電圧と選択した電池ユニット２３−ＨＮの電圧の差が所定値を超えている場合には（ステ
ップＳ１２２；Ｎｏ）、ゲートウェイ装置２４は、待機状態となる。
【００８３】
一方、主回路の電圧である母線電圧が０Ｖまたは母線電圧と選択した電池ユニット２３
−ＨＮの電圧の差が所定値以下である場合には（ステップＳ１２２；Ｙｅｓ）、ゲートウ
ェイ装置２４は、選択した電池ユニット２３−ＨＮのコンタクタ３５を閉じる指令を当該
電池ユニット２３−ＨＮのＢＭＵ３６に出力する（ステップＳ１２３）。
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ１２４）。
ステップＳ１２４の判別において、未だコンタクタ状態通知がなされていない場合には
（ステップＳ１２４；Ｎｏ）、ゲートウェイ装置２４は、待機状態となる。
ステップＳ１２４の判別において、コンタクタ状態通知がなされた場合には（ステップ
Ｓ１２４；Ｙｅｓ）、ゲートウェイ装置２４は、マスタ装置４２に対し、当該時点におい
て、運転可能な電池ユニット数を通知する（ステップＳ１２５）。
【００８４】
続いてゲートウェイ装置２４は、起動して投入した電池ユニットの個数が電池ユニット
数ＳＵＭＮとなったか否かを判別する（ステップＳ１２６）。
ステップＳ１２６の判別において、未だ起動して投入した電池ユニットの個数が電池ユ
ニット数ＳＵＭＮとなっていない場合には（ステップＳ１２６；Ｎｏ）、電圧が直前に起
動した電池ユニットの次に低い電圧の電池ユニットを選択し、処理を再びステップＳ１２
２に移行して、以下、同様の処理を行う。
ステップＳ１２６の判別において、起動して投入した電池ユニットの個数が電池ユニッ
ト数ＳＵＭＮとなった場合には（ステップＳ１２６；Ｙｅｓ）、処理を終了する。
以上の説明のように、最も多くの電池ユニットが投入可能な状態で、電池ユニットの電
圧が高い順に電池ユニットが順次投入されて、電力が主回路に供給されることとなる。
【００８５】
（５）最も多くの電池ユニットを投入可能とする順番で電池ユニットの電圧が低い順に投
入する場合の選択手順
図８は、電池ユニットの電圧が低い順に投入する場合にゲートウェイ装置における起動
対象の電池ユニットの選択手順の処理フローチャートである。
まず、ゲートウェイ装置２４は、最初に起動する電池ユニットの電圧の順番を示すイン
デックスＮ＝１に初期化する（ステップＳ１３１）。
【００８６】
次にゲートウェイ装置２４は、Ｎ番目に低い電圧の電池ユニットから投入した場合に主
回路の電圧である母線電圧から所定電圧範囲となるように投入可能な電池ユニット数ＳＵ
ＭＮ＝０に初期化する（ステップＳ１３２）
続いてゲートウェイ装置２４は、Ｎ番目に低い電圧の電池ユニットから起動したと仮定
したときに起動可能な電池ユニットの電圧の順位を示すインデックスをＭとし、Ｍ＝Ｎと
する（ステップＳ１３３）。
次にゲートウェイ装置２４は、電池ユニットの電圧が低い順番でＮ番目からＭ番目まで
の電池ユニットの平均電圧値を演算する（ステップＳ１３４）。
【００８７】
次にゲートウェイ装置２４は、ステップＳ１３４で演算した電池ユニットの電圧が低い
順番でＮ番目からＭ番目までの電池ユニットの平均電圧値と、（Ｍ＋１）番目の電池ユニ
ットの電圧差が所定値以下であるか否かを判別する（ステップＳ１３５）。この場合にお
いて、所定値は、主回路の電圧である母線電圧から所定電圧範囲となる電圧範囲である。
ステップＳ１３５の判別において、ステップＳ１３４で演算した電池ユニットの電圧が
低い順番でＮ番目からＭ番目までの電池ユニットの平均電圧値と、（Ｍ＋１）番目の電池
ユニットの電圧差が所定値を超えている場合には（ステップＳ１３５；Ｎｏ）、処理をス
テップＳ１３８に移行する。
【００８８】
ステップＳ１３５の判別において、ステップＳ１３４で演算した電池ユニットの電圧が
低い順番でＮ番目からＭ番目までの電池ユニットの平均電圧値と、（Ｍ＋１）番目の電池
ユニットの電圧差が所定値以下である場合には（ステップＳ１３５；Ｙｅｓ）、ゲートウ
ェイ装置２４は、インデックスＭ＝Ｍ＋１とし、電池ユニット数ＳＵＭＮ＝ＳＵＭＮ＋１
とする（ステップＳ１３６）。すなわち、投入可能と判断された電池ユニット数が一つ増
えたことととなる。
次にゲートウェイ装置２４は、インデックスＭの値が総電池ユニット数以下であるか否
かを判別する（ステップＳ１３７）。
【００８９】
ステップＳ１３７の判別において、インデックスＭの値が総電池ユニット数以下である
場合には（ステップＳ１３７；Ｙｅｓ）、ゲートウェイ装置２４は、処理を再びステップ
Ｓ１３４に移行して、以下、同様の処理を行う。
ステップＳ１３７の判別において、インデックスＭの値が総電池ユニット数を超えてい
る場合には（ステップＳ１３７；Ｎｏ）、ゲートウェイ装置２４は、インデックスＮ＝Ｎ
＋１とする（ステップＳ１３８）。
【００９０】
次にゲートウェイ装置２４は、インデックスＮの値が総電池ユニット数を超えているか
否かを判別する（ステップＳ１３９）。
ステップＳ１３９の判別において、インデックスＮの値が総電池ユニット数以下である
場合には（ステップＳ１３９；Ｎｏ）、ゲートウェイ装置２４は、処理を再びステップＳ
１３２に移行し、以下、同様の処理を行う。
【００９１】
ステップＳ１３９の判別において、インデックスＮの値が総電池ユニット数を超えた場
合には（ステップＳ１３９；Ｙｅｓ）、起動ユニット選択のための情報収集が完了したの
で、インデックスＮを１から電池ユニット数まで変化させて、電池ユニット数ＳＵＭＮの
値が最も大きいインデックスＮの値を探索する（ステップＳ１４０）。すなわち、最も投
入可能な電池ユニットの数が多いインデックスＮの値を取得することとなる。
次にゲートウェイ装置２４は、電池ユニット２３−１〜２３−Ｍの中で、Ｎ番目に電圧
の低い電池ユニット２３−ＬＮを選択する（ステップＳ１４１）。
【００９２】
次にゲートウェイ装置２４は、主回路の電圧である母線電圧が０Ｖまたは母線電圧と選
択した電池ユニット２３−ＬＮの電圧の差が所定値以下であるか否かを判別する（ステッ
プＳ１４２）。
ステップＳ１４２の判別において、主回路の電圧である母線電圧が０Ｖではなく、母線
電圧と選択した電池ユニット２３−ＬＮの電圧の差が所定値を超えている場合には（ステ
ップＳ１４２；Ｎｏ）、ゲートウェイ装置２４は、待機状態となる。
【００９３】
一方、主回路の電圧である母線電圧が０Ｖまたは母線電圧と選択した電池ユニット２３
−ＬＮの電圧の差が所定値以下である場合には（ステップＳ１４２；Ｙｅｓ）、ゲートウ
ェイ装置２４は、選択した電池ユニット２３−ＬＮのコンタクタ３５を閉じる指令を当該
電池ユニット２３−ＬＮのＢＭＵ３６に出力する（ステップＳ１４３）。
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ１４４）。
【００９４】
ステップＳ１４４の判別において、未だコンタクタ状態通知がなされていない場合には
（ステップＳ１４４；Ｎｏ）、ゲートウェイ装置２４は、待機状態となる。
ステップＳ１４４の判別において、コンタクタ状態通知がなされた場合には（ステップ
Ｓ１４４；Ｙｅｓ）、ゲートウェイ装置２４は、マスタ装置４２に対し、当該時点におい
て、運転可能な電池ユニット数を通知する（ステップＳ１４５）。
続いてゲートウェイ装置２４は、起動して投入した電池ユニットの個数が電池ユニット
数ＳＵＭＮとなったか否かを判別する（ステップＳ１４６）。
【００９５】
ステップＳ１４６の判別において、未だ起動して投入した電池ユニットの個数が電池ユ
ニット数ＳＵＭＮとなっていない場合には（ステップＳ１４６；Ｎｏ）、電圧が直前に起
動した電池ユニットの次に高い電圧の電池ユニットを選択し（ステップＳ１４７）、処理
を再びステップＳ１４２に移行して、以下、同様の処理を行う。
ステップＳ１４６の判別において、起動して投入した電池ユニットの個数が電池ユニッ
ト数ＳＵＭＮとなった場合には（ステップＳ１４６；Ｙｅｓ）、処理を終了する。
以上の説明のように、最も多くの電池ユニットが投入可能な状態で、電池ユニットの電
圧が低い順に電池ユニットが順次投入されて、電力が主回路に供給されることとなる。
【００９６】
（６）最も多くの電池ユニットを投入可能とする順番で電池ユニットの電圧が全電池ユニ
ットの平均値に近い順に投入する場合の選択手順
図９は、電池ユニットの電圧が全電池ユニットの平均値に近い順に投入する場合にゲー
トウェイ装置における起動対象の電池ユニットの選択手順の処理フローチャートである。
まず、ゲートウェイ装置２４は、最初に起動する電池ユニットの電圧の順番を示すイン
デックスＮ＝１に初期化する（ステップＳ１５１）。
【００９７】
次にゲートウェイ装置２４は、Ｎ番目に低い電圧の電池ユニットから投入した場合に主
回路の電圧である母線電圧から所定電圧範囲となるように投入可能な電池ユニット数ＳＵ
ＭＮ＝０に初期化する（ステップＳ１５２）
続いてゲートウェイ装置２４は、Ｎ番目に全電池ユニットの平均値に近い電圧の電池ユ
ニットから起動したと仮定したときに起動可能な電池ユニットの電圧の順位を示すインデ
ックスをＭとし、Ｍ＝Ｎとする（ステップＳ１５３）。
次にゲートウェイ装置２４は、電池ユニットの電圧が全電池ユニットの平均値に近い順
番でＮ番目からＭ番目までの電池ユニットの平均電圧値を演算する（ステップＳ１５４）
。
【００９８】
次にゲートウェイ装置２４は、ステップＳ１５４で演算した電池ユニットの電圧が全電
池ユニットの平均値に近い順番でＮ番目からＭ番目までの電池ユニットの平均電圧値と、
（Ｍ＋１）番目の電池ユニットの電圧差が所定値以下であるか否かを判別する（ステップ
Ｓ１５５）。この場合において、所定値は、主回路の電圧である母線電圧から所定電圧範
囲となる電圧範囲である。
ステップＳ１５５の判別において、ステップＳ１５４で演算した電池ユニットの電圧が
全電池ユニットの平均値に近い順番でＮ番目からＭ番目までの電池ユニットの平均電圧値
と、（Ｍ＋１）番目の電池ユニットの電圧差が所定値を超えている場合には（ステップＳ
１５５；Ｎｏ）、処理をステップＳ１５８に移行する。
【００９９】
ステップＳ１５５の判別において、ステップＳ１５４で演算した電池ユニットの電圧が
全電池ユニットの平均値に近い順番でＮ番目からＭ番目までの電池ユニットの平均電圧値
と、（Ｍ＋１）番目の電池ユニットの電圧差が所定値以下である場合には（ステップＳ１
５５；Ｙｅｓ）、ゲートウェイ装置２４は、インデックスＭ＝Ｍ＋１とし、電池ユニット
数ＳＵＭＮ＝ＳＵＭＮ＋１とする（ステップＳ１５６）。すなわち、投入可能と判断され
た電池ユニット数が一つ増えたことととなる。
【０１００】
次にゲートウェイ装置２４は、インデックスＭの値が総電池ユニット数以下であるか否
かを判別する（ステップＳ１５７）。
ステップＳ１５７の判別において、インデックスＭの値が総電池ユニット数以下である
場合には（ステップＳ１５７；Ｙｅｓ）、ゲートウェイ装置２４は、処理を再びステップ
Ｓ１５４に移行して、以下、同様の処理を行う。
ステップＳ１５７の判別において、インデックスＭの値が総電池ユニット数を超えてい
る場合には（ステップＳ１５７；Ｎｏ）、ゲートウェイ装置２４は、インデックスＮ＝Ｎ
＋１とする（ステップＳ１５８）。
【０１０１】
次にゲートウェイ装置２４は、インデックスＮの値が総電池ユニット数を超えているか
否かを判別する（ステップＳ１５９）。
ステップＳ１５９の判別において、インデックスＮの値が総電池ユニット数以下である
場合には（ステップＳ１５９；Ｎｏ）、ゲートウェイ装置２４は、処理を再びステップＳ
１５２に移行し、以下、同様の処理を行う。
【０１０２】
ステップＳ１５９の判別において、インデックスＮの値が総電池ユニット数を超えた場
合には（ステップＳ１５９；Ｙｅｓ）、起動ユニット選択のための情報収集が完了したの
で、インデックスＮを１から電池ユニット数まで変化させて、電池ユニット数ＳＵＭＮの
値が最も大きいインデックスＮの値を探索する（ステップＳ１６０）。すなわち、最も投
入可能な電池ユニットの数が多いインデックスＮの値を取得することとなる。
【０１０３】
次にゲートウェイ装置２４は、電池ユニット２３−１〜２３−Ｍの中で、Ｎ番目に全電
池ユニットの平均値に近い電圧の電池ユニット２３−ＡＮを選択する（ステップＳ１６１
）。
次にゲートウェイ装置２４は、主回路の電圧である母線電圧が０Ｖまたは母線電圧と選
択した電池ユニット２３−ＡＮの電圧の差が所定値以下であるか否かを判別する（ステッ
プＳ１６２）。
ステップＳ１６２の判別において、主回路の電圧である母線電圧が０Ｖではなく、母線
電圧と選択した電池ユニット２３−ＡＮの電圧の差が所定値を超えている場合には（ステ
ップＳ１６２；Ｎｏ）、ゲートウェイ装置２４は、待機状態となる。
【０１０４】
一方、主回路の電圧である母線電圧が０Ｖまたは母線電圧と選択した電池ユニット２３
−ＬＮの電圧の差が所定値以下である場合には（ステップＳ１６２；Ｙｅｓ）、ゲートウ
ェイ装置２４は、選択した電池ユニット２３−ＡＮのコンタクタ３５を閉じる指令を当該
電池ユニット２３−１のＢＭＵ３６に出力する（ステップＳ１６３）。
【０１０５】
続いて、ゲートウェイ装置２４は、コンタクタ３５を閉じる指令を出力したＢＭＵ３６
からコンタクタ３５が閉じた旨の報告であるコンタクタ状態通知がなされたか否かを判別
する（ステップＳ１６４）。
【０１０６】
ステップＳ１６４の判別において、未だコンタクタ状態通知がなされていない場合には
（ステップＳ１６４；Ｎｏ）、ゲートウェイ装置２４は、待機状態となる。
ステップＳ１６４の判別において、コンタクタ状態通知がなされた場合には（ステップ
Ｓ１６４；Ｙｅｓ）、ゲートウェイ装置２４は、マスタ装置４２に対し、当該時点におい
て、運転可能な電池ユニット数を通知する（ステップＳ１６５）。
【０１０７】
続いてゲートウェイ装置２４は、起動して投入した電池ユニットの個数が電池ユニット
数ＳＵＭＮとなったか否かを判別する（ステップＳ１６６）。
ステップＳ１６６の判別において、未だ起動して投入した電池ユニットの個数が電池ユ
ニット数ＳＵＭＮとなっていない場合には（ステップＳ１６６；Ｎｏ）、電圧が直前に起
動した電池ユニットの次に全電池ユニットの平均値に近い電圧の電池ユニットを選択し（
ステップＳ１６７）、処理を再びステップＳ１６２に移行して、以下、同様の処理を行う
。
ステップＳ１６６の判別において、起動して投入した電池ユニットの個数が電池ユニッ
ト数ＳＵＭＮとなった場合には（ステップＳ１６６；Ｙｅｓ）、処理を終了する。
【０１０８】
以上の説明のように、最も多くの電池ユニットが投入可能な状態で、電池ユニットの電
圧が全電池ユニットの平均値に近い順に電池ユニットが順次投入されて、電力が主回路に
供給されることとなる。
【０１０９】
（７）投入できなかった電池ユニットに対する処理
以上の説明においては、詳細に述べなかったが、いずれの手法においても投入できない
電池ユニットが発生する可能性がある。
ところで、各電池ユニット２３−１〜２３−Ｍは、各電池ユニット２３−１〜２３−Ｍ
が独立して放電することで各電池ユニット２３−１〜２３−Ｍの電圧バランスをとるセル
バランス動作が可能とされている。ここで、セルバランス動作とは、セルモジュールを構
成するセル（電池）と並列に接続／切り離し可能に設けた放電抵抗（セルバランス抵抗）
を用い、セル（電池）単位で放電を行わせてセル（電池）の電圧を下げ、ひいては、セル
モジュールの電圧を下げる動作である。
【０１１０】
そこで、投入可能な電池ユニットを投入して、どうしても投入できなかった電池ユニッ
トが発生した場合には、可能な限り電圧調整を行って、投入するようにすることができる
。
【０１１１】
図１０は、未投入の電池ユニット数を低減させるためのゲートウェイ装置の処理フロー
チャートである。
まず、ゲートウェイ装置２４は、上述した各処理によって、電池ユニットの投入が終了
した時点あるいは電池ユニットの投入処理の途中で投入できないと判断された未投入の電
池ユニットが存在する場合には、各電池ユニットの電圧が主回路の電圧である母線電圧よ
り高いか否かを判別する（ステップＳ１７１）。
【０１１２】
ステップＳ１７１の判別において、未投入の電池ユニットの電圧が主回路の電圧である
母線電圧より高い場合には（ステップＳ１７１；Ｙｅｓ）、ゲートウェイ装置２４は、セ
ルバランス動作を行うように、対応するＢＭＵ３６に対してセルバランス開始指令を出力
する（ステップＳ１７２）。
次にゲートウェイ装置２４は、未投入の電池ユニットの電圧が主回路の電圧である母線
電圧との差が所定電圧以下となったか否かを判別する（ステップＳ１７３）。ここで、所
定電圧とは、当該未投入の電池ユニットを投入可能と判断される電圧である。
【０１１３】
ステップＳ１７３の判別において、未投入の電池ユニットの電圧が主回路の電圧である
母線電圧との差が所定電圧以下となった場合には（ステップＳ１７３；Ｙｅｓ）、当該未
投入の電池ユニットは投入可能な状態となったので、ゲートウェイ装置２４は、セルバラ
ンス動作を停止するように、対応するＢＭＵ３６に対してセルバランス停止指令を出力し
（ステップＳ１７４）、処理を終了する。これにより、当該セルバランス動作を停止した
未投入の電池ユニットは、投入可能な状態となっているので、その後投入されることとな
る。
【０１１４】
一方、ステップＳ１７１の判別において、未投入の電池ユニットの電圧が主回路の電圧
である母線電圧以下である場合には（ステップＳ１７１；Ｎｏ）、ゲートウェイ装置２４
は、未投入の電池ユニットの電圧が主回路の電圧である母線電圧との差が所定電圧以下と
なっているか否かを判別する（ステップＳ１７５）。
【０１１５】
ステップＳ１７５の判別において、未投入の電池ユニットの電圧が主回路の電圧である
母線電圧との差が所定電圧を超えている場合には（ステップＳ１７５；Ｎｏ）、未投入の
電池ユニットの電圧が主回路の電圧に対して低すぎるので、ゲートウェイ装置２４は、待
機状態となる。
ステップＳ１７５の判別において、未投入の電池ユニットの電圧が主回路の電圧である
母線電圧との差が所定電圧以下となっている場合には（ステップＳ１７５；Ｙｅｓ）、当
該未投入の電池ユニットは、投入可能な状態となっているので、その後投入されることと
なる。
【０１１６】
以上の説明のように、セルバランス動作をおこなわせることで、未投入の電池ユニット
数を低減することが可能となる。
以上のセルバランス動作は、電池ユニット２３−１〜２３−Ｍのセルモジュール３１構
成するに並列にセルバランス抵抗を接続／切り離し可能としてセル（電池）単位で放電を
行わせるものを想定していたが、セルモジュール３１と並列にモジュールバランス抵抗を
接続／切り離し可能とし、セルモジュール単位で放電をおこなわせるように構成すること
も可能である。
【０１１７】
以上の説明では、電池ユニットを主回路に接続する場合の主回路との電圧差は、一定で
あるものとして説明したが、蓄電池装置１１の電力供給先(図１の例では、電力変換装置
１２)が充放電を行っているときに、未接続だった電池ユニットが突然接続されると、主
回路の電圧が急激に変動するため、変動幅によっては蓄電池装置の電力供給先の異常を誘
発するおそれがある。
そこで、これを防ぐために、ゲートウェイ装置２４は、マスタ装置４２からの通信によ
り蓄電池装置の電力供給先が充放電可能状態にあると判断したときは、電池ユニットの接
続を行う主回路電圧と電池ユニット電圧の差を起動時よりも小さい値に設定するようにす
ることができる。
【０１１８】
本実施形態の蓄電池装置は、ＣＰＵなどの制御装置と、ＲＯＭ（Read  Only  Memory）
やＲＡＭなどの記憶装置と、を備えており、通常のコンピュータを利用したハードウェア
構成となっている。
【０１１９】
本実施形態の蓄電池装置で実行される制御プログラムは、インストール可能な形式又は
実行可能な形式のファイルでＣＤ−ＲＯＭ、フレキシブルディスク（ＦＤ）、ＣＤ−Ｒ、
ＤＶＤ（Ｄｉｇｉｔａｌ  Ｖｅｒｓａｔｉｌｅ  Ｄｉｓｋ）等のコンピュータで読み取り
可能な記録媒体に記録されて提供される。
【０１２０】
また、本実施形態の蓄電池装置で実行される制御プログラムを、インターネット等のネ
ットワークに接続されたコンピュータ上に格納し、ネットワーク経由でダウンロードさせ
ることにより提供するように構成しても良い。また、本実施形態の蓄電池装置で実行され
る制御プログラムをインターネット等のネットワーク経由で提供または配布するように構
成しても良い。
また、本実施形態の蓄電池装置の制御プログラムを、ＲＯＭ等に予め組み込んで提供す
るように構成してもよい。
【０１２１】
以上、本発明のいくつかの実施形態を説明したが、これらの実施形態は、例として提示
したものであり、発明の範囲を限定することは意図していない。これら新規な実施形態は
、その他の様々な形態で実施されることが可能であり、発明の要旨を逸脱しない範囲で、
種々の省略、置き換え、変更を行うことができる。例えば、本実施形態では各電池ユニッ
トは１並列多直列のユニットを用いているが、多並列多直列であっても良い。電池ユニッ
トが多並多直列で接続されている場合、並列に接続されている複数の単セルを１つの単セ
ルとみなして各構成要素が処理を実行することにより本実施形態の課題解決手段を利用す
ることができる。これら実施形態やその変形は、発明の範囲や要旨に含まれるとともに、
特許請求の範囲に記載された発明とその均等の範囲に含まれる。
【符号の説明】
【０１２２】
１０    蓄電池システム
１１    蓄電池装置
１２    電力変換装置
１２Ａ  ＵＰＳ
２１    電池盤
２２    電池端子盤
２３−１〜２３−Ｍ    電池ユニット
２４    ゲートウェイ装置（接続制御手段）
２５    直流電源装置
３１    セルモジュール（組電池群）
３２    ＣＭＵ
３３    サービスディスコネクト
３４    電流センサ
３５    コンタクタ（電磁接触器）
３６    ＢＭＵ
４１−１〜４１-Ｎ    盤遮断機
４２    マスタ装置
５１    制御電源線
５２    制御通信線
ＬＨ    高電位側電源供給ライン（高電位側電源供給線）
ＬＬ    低電位側電源供給ライン（低電位側電源供給線）
ＬＨＯ、ＬＬＯ    出力電源ライン（出力電源線；母線）
【図１】
2016119839.tif 000003
【図２】
2016119839.tif 000004
【図３】
2016119839.tif 000005
【図４】
2016119839.tif 000006
【図５】
2016119839.tif 000007
【図６】
2016119839.tif 000008
【図７】
2016119839.tif 000009
【図８】
2016119839.tif 000010
【図９】
2016119839.tif 000011
【図１０】
2016119839.tif 000012
【手続補正書】
【提出日】平成28年3月4日(2016.3.4)
【手続補正１】
【補正対象書類名】明細書
【補正対象項目名】００１２
【補正方法】変更
【補正の内容】
【００１２】
そして、制御部は、取得した前記出力電源線の電圧値が０Ｖの場合、前記電池管理部から通知された前記複数の組電池群の電圧値に基づき、最も電圧値の高い又は最も電圧値の低い組電池群を選択し、この選択した組電池群に対応する接触器を閉じるよう制御し、一方、取得した前記出力電源線の電圧値が０Ｖでない場合、前記電池管理部から通知された前記複数の組電池群の電圧値に基づき、前記複数の接触器のうちの閉じていない接触器に対応する組電池群と前記出力電源線の電圧値との電圧差が所定値以下である組電池群を選択し、この選択した組電池群に対応する接触器を閉じるよう制御する。
【手続補正２】
【補正対象書類名】特許請求の範囲
【補正対象項目名】全文
【補正方法】変更
【補正の内容】
【特許請求の範囲】
【請求項１】
複数の組電池群と、
前記複数の組電池群それぞれに対応して設けられ、対応する組電池群の電圧値を取得する複数の電池管理部と、
前記複数の組電池群それぞれに対応して設けられ、前記組電池群を出力電源線に電気的に接続するための複数の接触器と、
前記複数の電池管理部を制御する制御部と、を備え、
この制御部は、
取得した前記出力電源線の電圧値が０Ｖの場合、
前記電池管理部から通知された前記複数の組電池群の電圧値に基づき、最も電圧値の高い又は最も電圧値の低い組電池群を選択し、
この選択した組電池群に対応する接触器を閉じるよう制御し、
取得した前記出力電源線の電圧値が０Ｖでない場合、
前記電池管理部から通知された前記複数の組電池群の電圧値に基づき、前記複数の接触器のうちの閉じていない接触器に対応する組電池群と前記出力電源線の電圧値との電圧差が所定値以下である組電池群を選択し、
この選択した組電池群に対応する接触器を閉じるよう制御する
ことを特徴とする蓄電池装置。
【請求項２】
前記出力電源線は、複数の蓄電池装置からの電力を供給対象に供給するときに共用される電力線であることを特徴とする請求項１に記載の蓄電池装置。
【請求項３】
前記制御部は、前記取得した前記出力電源線の電圧値が０Ｖでない場合であって、かつ前記複数の接触器のうちの閉じていない接触器に対応する組電池群の電圧値と前記出力電源線の電圧値との電圧差が前記所定値以下でない組電池群があり、更に、この組電池群の電圧値が前記出力電源線の電圧値より大きい場合は、この組電池群が放電するよう制御することを特徴とする請求項１または２に記載の蓄電池装置。
【請求項４】
複数の組電池群と、この複数の組電池群それぞれに対応して設けられ対応する組電池群の電圧値を取得する複数の電池管理部と、前記複数の組電池群それぞれに対応して設けられ前記組電池群を出力電源線に電気的に接続するための複数の接触器と、前記複数の電池管理部を制御する制御部と、を備えた蓄電池装置の制御方法であって、
取得した前記出力電源線の電圧値が０Ｖの場合、
前記電池管理部から通知された前記複数の組電池群の電圧値に基づき、最も電圧値の高い又は最も電圧値の低い組電池群を選択し、
この選択した組電池群に対応する接触器を閉じるよう制御し、
取得した前記出力電源線の電圧値が０Ｖでない場合、
前記電池管理部から通知された前記複数の組電池群の電圧値に基づき、前記複数の接触器のうちの閉じていない接触器に対応する組電池群と前記出力電源線の電圧値との電圧差が所定値以下である組電池群を選択し、
この選択した組電池群に対応する接触器を閉じるよう制御する
ことを特徴とする制御方法。
【請求項５】
複数の組電池群と、この複数の組電池群それぞれに対応して設けられ対応する組電池群の電圧値を取得する複数の電池管理部と、前記複数の組電池群それぞれに対応して設けられ前記組電池群を出力電源線に電気的に接続するための複数の接触器と、前記複数の電池管理部を制御する制御部と、を備えた蓄電池装置をコンピュータにより制御するための制御プログラムであって、
前記コンピュータを、
取得した前記出力電源線の電圧値が０Ｖの場合は、前記電池管理部から通知された前記複数の組電池群の電圧値に基づき、最も電圧値の高い又は最も電圧値の低い組電池群を選択する手段と、この選択した組電池群に対応する接触器を閉じるよう制御する手段として機能させ、
一方、取得した前記出力電源線の電圧値が０Ｖでない場合は、前記電池管理部から通知された前記複数の組電池群の電圧値に基づき、前記複数の接触器のうちの閉じていない接触器に対応する組電池群と前記出力電源線の電圧値との電圧差が所定値以下である組電池群を選択する手段と、この選択した組電池群に対応する接触器を閉じるよう制御する手段として機能させる
ことを特徴とする制御プログラム。